(57)【要約】【課題】トップカバーの振動に起因する騒音を低減することが可能なディスク装置を提供する。【解決手段】ディスク装置は、筐体と、筐体内に配置されるディスク状の記録媒体を駆動する駆動部と、ヘッドを支持するヘッドアクチュエータと、を備え、筐体の壁部は、第１中心Ｃ１を有する円弧状に加工された第１リブ５０と、第１中心と異なる第２中心Ｃ２を有する円弧状に加工された第２リブ５２と、を有している。【選択図】  図２
2011018391.tif 000002
【特許請求の範囲】
【請求項１】
筐体と、前記筐体内に配置されるディスク状の記録媒体を駆動する駆動部と、ヘッドを支持するヘッドアクチュエータと、を備え、
前記筐体の壁部は、第１中心を有する円弧状に加工された第１リブと、前記第１中心と異なる第２中心を有する円弧状に加工された第２リブと、を有することを特徴とするディスク装置。
【請求項２】
前記筐体は、前記駆動部およびヘッドアクチュエータが設けられているとともに上部開口を有するベースと、前記ベースの上部開口を閉じる板状のトップカバーと、を有し、
前記第１リブおよび第２リブは、前記トップカバーに形成されていることを特徴とする請求項１に記載のディスク装置。
【請求項３】
前記第１リブおよび第２リブは、前記トップカバーの絞り加工により形成されていることを特徴とする請求項２に記載のディスク装置。
【請求項４】
前記トップカバーは、前記第１中心を同芯とし径の異なる複数の円弧状の第１リブを有することを特徴とする請求項２に記載のディスク装置。
【請求項５】
前記第１リブの円弧状は、円形を含んでいることを特徴とする請求項２に記載のディスク装置。
【請求項６】
前記トップカバーは、前記第２中心を同芯とし径の異なる複数の円弧状の第２リブを有することを特徴とする請求項２ないし５のいずれか１項に記載のディスク装置。
【請求項７】
前記第２リブの円弧状は、円形を含んでいることを特徴とする請求項２に記載のディスク装置。
【請求項８】
前記第１リブの第１中心は、前記トップカバーの２次モードの振動が発生する領域に位置し、前記第２リブは、前記トップカバーの１次モードの振動が発生する領域に設けられていることを特徴とする請求項１ないし７のいずれか１項に記載のディスク装置。
【請求項９】
前記第１リブは、前記第２リブと連続して形成されていることを特徴とする請求項２に記載のディスク装置。
【請求項１０】
上面開口を有するベース、および前記ベースにねじ止めされ前記上面開口を閉じる矩形板状のトップカバーを有する筐体と、
前記筐体内に設けられるディスク状の記録媒体を駆動する駆動部と、
上記磁気ディスクに対して情報処理するヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔とを有し、
前記駆動モータの回転中心上を通り筐体の長手方向に延びる軸を第１軸、前記駆動モータの回転中心上を通り前記第１軸と直交する軸を第２軸とするとき、
前記駆動モータの回転中心と、前記第２透孔の中心と、前記複数の第１透孔の内、前記第１軸に対して前記第２透孔と反対側に位置し、かつ、長辺側の側縁中央部に位置する第１透孔と、を頂点とする三角形の領域内に第１中心を有する形状に絞り加工された少なくとも１つの第１リブと、
前記第１中心と異なる第２中心を有する円弧状に絞り加工された第２リブと、
を備えることを特徴とするディスク装置。
【請求項１１】
上面開口を有するベース、および前記ベースにねじ止めされ前記上面開口を閉じる矩形板状のトップカバーを有する筐体と、
前記筐体内に設けられるディスク状の記録媒体を駆動する駆動部と、
上記磁気ディスクに対して情報処理するヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔とを有し、
前記駆動モータの回転中心上を通り筐体の長手方向に延びる軸を第１軸、前記駆動モータの回転中心上を通り前記第１軸と直交する軸を第２軸とするとき、
前記駆動モータの回転中心と、前記第２透孔の中心と、前記第１軸に対して前記第２透孔と反対側に位置する長辺の長手方向中央部と、を頂点とする三角形の領域内に第１中心を有する形状に絞り加工された第１リブと、
前記第１中心と異なる第２中心を有する円弧状に絞り加工された第２リブと、
を備えることを特徴とするディスク装置。
【請求項１２】
前記第１リブは、前記三角形の領域内に中心を有する円弧形状に形成されていることを特徴とする請求項１０又は１１に記載のディスク装置。
【請求項１３】
前記トップカバーは、それぞれ前記三角形の領域内に第１中心を有する同芯形状に絞り加工され径の異なる複数の第１リブを有することを特徴とする請求項１０又は１１に記載のディスク装置。
【請求項１４】
前記第２リブは、前記記録媒体の回転中心を第２中心とする円弧形状に形成されていることを特徴とする請求項１０又は１１に記載のディスク装置。
【発明の詳細な説明】
【技術分野】
【０００１】
この発明は、記録媒体としてのディスクを有するディスク装置に関する。
【背景技術】
【０００２】
近年、コンピュータの外部記録装置や画像、音楽の記録再生装置として磁気ディスク装置、光ディスク装置などのディスク装置が広く用いられている。  
例えば、ハードディスクドライブ装置（以下、ＨＤＤと称する）は、一般に、筐体内に配設された磁気ディスク、磁気ディスクを支持および回転駆動するスピンドルモータ、磁気ヘッドを支持したヘッドアクチュエータ、ヘッドアクチュエータを駆動するボイスコイルモータ、回路基板ユニット等を備えている。
【０００３】
筐体は、複数の機構部が実装されているとともに上面が開口したベースと、ベースの開口を覆ったトップカバーとで構成されている。トップカバーは複数のねじによりベースの上面周縁部にねじ止めされている。また、ヘッドアクチュエータの軸受部は枢軸を有し、この枢軸はベースに立設されているとともに、その先端部は、トップカバーにねじ止めされている。これにより、枢軸は両持ち支持された状態で、筐体内に配設されている。
【０００４】
このような磁気ディスク装置では、スピンドルモータおよび磁気ディスクの回転に伴う振動、磁気ディスクの回転に伴う風乱に起因したヘッドアクチュエータの振動、ヘッドアクチュエータのシーク動作に伴う振動などが発生する。振動発生部となるスピンドルモータ、ヘッドアクチュエータの振動は、ベースおよびヘッドアクチュエータの枢軸等を介して、板状のトップカバーに伝達される。これにより、トップカバーが振動し、騒音発生の要因となる。
【０００５】
そこで、トップカバーにリブあるいは絞りを形成してトップカバーの機械的強度を向上させ、トップカバーの振動を抑制する装置が提案されている。例えば、ディスクと同芯の円弧状のリブあるいは絞りをトップカバーに形成した装置（例えば、特許文献１）、あるいは、ヨークの直上でトップカバーに開口を形成した装置（例えば、特許文献２）が提案されている。
【先行技術文献】
【特許文献】
【０００６】
【特許文献１】特開２００４−４６９６４号公報
【特許文献２】特開２００６−３３１５４５号公報
【発明の概要】
【発明が解決しようとする課題】
【０００７】
しかしながら、近年、情報処理装置の小型、薄型化が望まれ、その結果、これらの情報処理装置に用いられる磁気ディスク装置も薄型化の要求が強まっている。このため、ディスク装置のトップカバーも薄型に形成され、剛性が不十分となることが考えられる。更に、トップカバーの１次モードの振動に限らず、２次モードの振動に起因する騒音発生も問題となる。
【０００８】
この発明は以上の点に鑑みなされたもので、その目的は、トップカバーの振動に起因する騒音を低減することが可能なディスク装置を提供することにある。
【課題を解決するための手段】
【０００９】
この発明の態様に係るディスク装置は、筐体と、前記筐体内に配置されるディスク状の記録媒体を駆動する駆動部と、ヘッドを支持するヘッドアクチュエータと、を備え、前記筐体の壁部は、第１中心を有する円弧状に加工された第１リブと、前記第１中心と異なる第２中心を有する円弧状に加工された第２リブと、を有することを特徴としている。
【００１０】
この発明の他の態様に係るディスク装置は、上面開口を有するベース、および前記ベースにねじ止めされ前記上面開口を閉じる矩形板状のトップカバーを有する筐体と、前記筐体内に設けられるディスク状の記録媒体を駆動する駆動部と、上記磁気ディスクに対して情報処理するヘッドを、前記ベースおよびトップカバーに固定される枢軸の周りで回動自在に支持するヘッドアクチュエータと、を備え、  
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔とを有し、前記駆動モータの回転中心上を通り筐体の長手方向に延びる軸を第１軸、前記駆動モータの回転中心上を通り前記第１軸と直交する軸を第２軸とするとき、前記駆動モータの回転中心と、前記第２透孔の中心と、前記複数の第１透孔の内、前記第１軸に対して前記第２透孔と反対側に位置し、かつ、長辺側の側縁中央部に位置する第１透孔と、を頂点とする三角形の領域内に第１中心を有する形状に絞り加工された少なくとも１つの第１リブと、前記第１中心と異なる第２中心を有する円弧状に絞り加工された第２リブと、を備えることを特徴としている。
【発明の効果】
【００１１】
この発明の態様によれば、トップカバーの振動に起因する騒音を低減することが可能なディスク装置を提供することができる。
【図面の簡単な説明】
【００１２】
【図１】図１は、この発明の第１の実施形態に係るＨＤＤを示す分解斜視図。
【図２】図２は、前記ＨＤＤのトップカバーの平面図。
【図３】図３は、前記トップカバーの２次モード振動解析結果を概略的に示す図。
【図４】図４は、第１リブを持たない比較例に係るトップカバーを示す平面図。
【図５】図５は、本実施形態に係るトップカバーと、比較例に係るトップカバーとについて、周波数と振動との関係を比較して示す図。
【図６】図６は、この発明の第２の実施形態に係るＨＤＤのトップカバーを示す平面図。
【図７】図７は、この発明の第３の実施形態に係るＨＤＤのトップカバーを示す平面図。
【図８】図８は、この発明の第４の実施形態に係るＨＤＤのトップカバーを示す平面図。
【図９】図９は、この発明の第５の実施形態に係るＨＤＤのトップカバーを示す平面図。
【発明を実施するための形態】
【００１３】
以下図面を参照しながら、この発明の第１の実施形態に係るハードディスクドライブ（以下ＨＤＤと称する）について詳細に説明する。  
図１に示すように、ＨＤＤは密閉された偏平な矩形状の筐体１０を備えている。この筐体１０は、上面開口を有する矩形箱状のベース１２と、矩形板状のトップカバー１４とを備え、トップカバー１４は、複数のねじ１１によりベース１２にねじ止めされ、ベースの上面開口を閉塞する。
【００１４】
ベース１２内には、記録媒体として２枚の磁気ディスク１６、磁気ディスクを支持および回転させるスピンドルモータ１８、磁気ディスクに対して情報の記録、再生を行なう複数の磁気ヘッド１７、これらの磁気ヘッド１７を磁気ディスク１６に対して移動自在に支持したヘッドアクチュエータ２０、ヘッドアクチュエータを回動および位置決めするボイスコイルモータ（以下ＶＣＭと称する）２４、磁気ヘッドが磁気ディスクの最外周に移動した際、磁気ヘッドを磁気ディスクから離間した位置に保持するランプロード機構２５、ＨＤＤに衝撃等が作用した際、ヘッドアクチュエータ２０を退避位置に保持するイナーシャラッチ機構２６、およびプリアンプ等の電子部品が実装されたフレキシブルプリント回路基板ユニット（以下、ＦＰＣユニットと称する）２１が収納されている。
【００１５】
ベース１２の外面には、ＦＰＣユニット２１を介してスピンドルモータ１８、ＶＣＭ２４、および磁気ヘッド１７の動作を制御する図示しないプリント回路基板がねじ止めされ、ベース１２の底壁と対向して位置している。
【００１６】
各磁気ディスク１６は、例えば、直径６５ｍｍ（２．５インチ）に形成され、上面および下面に磁気記録層を有している。磁気ディスク１６は、スピンドルモータ１８の図示しないハブに互いに同軸的に嵌合されているとともにクランプばね２７によりクランプされ、ハブに固定されている。そして、磁気ディスク１６は、駆動部としてのスピンドルモータ１８により所定の速度で回転される。
【００１７】
ヘッドアクチュエータ２０は、ベース１２の底壁上に固定された軸受組立体２８を備えている。軸受部として機能する軸受組立体２８は、ベース１２の底壁に立設された枢軸２３と、枢軸２３に一対の軸受を介して回転自在に支持された円筒形状のハブと、を有している。ヘッドアクチュエータ２０は、ハブに取り付けられた４本のアーム２２、それぞれのアームから延出した４本のサスペンション３０、サスペンションの延出端に支持された磁気ヘッド３３、および複数のスペーサリングを備えている。
【００１８】
各磁気ヘッド３３は、図示しないほぼ矩形状のスライダとこのスライダに形成された記録再生用のＭＲ（磁気抵抗）ヘッド素子とを有し、サスペンション３０の先端部に形成されたジンバル部に固定されている。各磁気ヘッド３３は、それぞれ図示しない中継フレキシブルプリント回路基板（以下、中継ＦＰＣと称する）を介して後述するメインＦＰＣ２１ｂに電気的に接続されている。これにより、各磁気ヘッド３３は、中継ＦＰＣおよびメインＦＰＣ２１ｂを介してＦＰＣユニット２１に電気的に接続されている。
【００１９】
４本のアーム２２は所定の間隔を置いて互いに平行に位置し、これらのアームに取り付けられたサスペンション３０および磁気ヘッド３３は互いに向かい合って位置している。ＶＣＭ２４は、軸受組立体２８のハブからアーム２７と反対方向に延出した図示しない支持フレーム、および支持フレームに支持されたボイスコイルを有している。ヘッドアクチュエータ２０をベース１２に組み込んだ状態において、ボイスコイルは、ベース１２上に固定された一対のヨーク６２間に位置し、これらのヨークおよび一方のヨークに固定された図示しない磁石とともにＶＣＭ２４を構成している。そして、ボイスコイルに通電することにより、ヘッドアクチュエータ２０が枢軸２３の周りで回動し、磁気ヘッド３３は磁気ディスク１６の所望のトラック上に移動および位置決めされる。
【００２０】
ランプロード機構２５は、ベース１２の底壁に設けられているとともに磁気ディスク１６の外側に配置されたランプ６４と、各サスペンション３０の先端から延出したタブと、を備えている。ヘッドアクチュエータ２０が回動し、磁気ヘッド１７が磁気ディスク１６の外側の退避位置まで回動すると、各タブは、ランプ６４に形成されたランプ面と係合し、その後、ランプ面の傾斜によって引き上げられ、磁気ヘッド１７をアンロードする。
【００２１】
ＦＰＣユニット２１は、フレキシブルプリント回路基板により形成された本体２１ａを有し、この本体２１ａはベース１２の底壁に固定されている。本体２１ａ上にはヘッドアンプ、コネクタ等の電子部品が実装されている。ＦＰＣユニット２１は本体２１ａから延出したメインＦＰＣ２１ｂを有している。メインＦＰＣ２１ｂの延出端は、中継ＦＰＣを介して磁気ヘッド１７に電気的に接続されている。
【００２２】
ＨＤＤは、トップカバー１４あるいはベース１２の底壁に形成された呼吸孔から流入する外気に含まれる塵挨、湿気、ガス成分等の汚濁物を捕獲除去する循環フィルタ６６、および可動部の稼動によって筐体１０内に発生した塵埃を捕獲する呼吸フィルタ６７を備えている。これらの循環フィルタ６６および呼吸フィルタ６７は、磁気ディスク１６の周囲に配設されている。
【００２３】
図２は、ＨＤＤのトップカバーの構成を示す平面図である。図１および図２に示すように、矩形板状のトップカバー１４は、例えば、板厚０．４ｍｍ程度のアルミニウム合金板をプレス成形することにより形成されている。トップカバー１４の４つの角部、および一対の長辺側の側縁のほぼ中央部には、それぞれ第１透孔４０が形成されている。トップカバー１４は、各第１透孔４０に挿通されたねじ１１をベース１２の周縁部に形成されたねじ孔にねじ込むことによりベースに締結され、ベース１２の上面開口を閉塞している。トップカバー１４は、磁気ディスク１６と所定の隙間をおいてほぼ平行に対向している。
【００２４】
トップカバー１４において、軸受組立体２８の枢軸２３と対向する位置には、第２透孔４２が形成されている。第２透孔４２に挿通された固定ねじ１３を枢軸２３の上端部にねじ込むことにより、トップカバー１４の一部と枢軸２３とが締結されている。従って、枢軸２３は、筐体１１のベース１２およびトップカバー１４により両端部が支持されている。このように、トップカバー１４は、周縁部に位置した６つのねじ止め用の第１透孔４０、および枢軸２３上に位置するねじ止め用の第２透孔４２を有している。
【００２５】
トップカバー１４は、その周縁部を除き、外方に向かって、図１においては上方に向かって突出した凸部をなすようにプレス成形されている。６つの第１透孔４０は、トップカバー１４の周縁部にそれぞれ形成されている。また、トップカバー１４には、このトップカバーの剛性を上げるため、後で詳述する複数のリブが絞り加工により形成されている。
【００２６】
後述するリブを持たないトップカバーを備えたＨＤＤについて、スピンドルモータを例えば、５４００ｒｐｍでアイドル回転した状態で、トップカバー１４の表面から垂直方向に１ｃｍ離れた位置で複数個所、例えば、１２箇所の音圧レベルを測定した。
【００２７】
図３は、有限要素法を用いたトップカバー１４の振動モードのシミュレーション解析結果を示している。図において、縞状のグラデーションの中心に位置する濃い領域（第１領域）Ａ１が、トップカバー１４の２次モード振動振幅の最も大きな領域であり、この２次固有振動数はおよそ１．４ｋＨｚである。この結果は、上記実測結果の音圧ピーク周波数・音の発生位置共に一致する結果であった。このことから、スピンドルモータが回転すると、このモータの回転に起因する振動がトップカバー１４へ伝達され、第１領域Ａ１が太鼓のように振動し、騒音が発生するものと考えられる。また、一次モード振動振幅の最も大きな領域は、ほぼスピンドルモータ１８の回転中心Ｃ２に位置する。
【００２８】
そこで、本実施形態では、トップカバー１４に、上記第１領域Ａ１に中心Ｃ１を有する形状の第１リブを絞り加工により形成し、更に、第２領域Ａ２の剛性を上げる第２リブを絞り加工により形成することにより、トップカバーの振動を抑制し、騒音低減効果を得ている。
【００２９】
詳細に述べると、図３に示すように、トップカバー１４において、スピンドルモータ１８の回転中心Ｃ２上を通り筐体１０の長手方向に延びる軸を第１軸Ｙ、スピンドルモータ１８の回転中心Ｃ２上を通り第１軸Ｙと直交する軸を第２軸Ｘとした場合、スピンドルモータ１８の回転中心Ｃ２と、第２透孔４２の中心と、第１透孔４０の内、第１軸Ｙに対して第２透孔４２と反対側に位置し、かつ、トップカバー１４の長辺側の側縁中央部に位置する第１透孔４０と、を頂点とする三角形の領域Ｂ１が上述した２次モード振動振幅の最も大きな領域Ａ１とほぼ一致する。また、第１透孔４０がトップカバー１４の長辺中央部からずれている場合、もしくは、存在しない場合、スピンドルモータ１８の回転中心Ｃ２と、第２透孔４２の中心と、第１軸に対して前記第２透孔と反対側に位置する長辺の長手方向中央部Ｄと、を頂点とする三角形の領域Ｂ２が上述した２次モード振動振幅の最も大きな領域Ａ１とほぼ一致する。
【００３０】
そして、トップカバー１４には、領域Ｂ１あるいは領域Ｂ２内部に中心Ｃ１、あるいは、後述、第１リブ５０の閉曲線形状・開曲線形状・多角形形状の面積重心（開曲線、もしくは、一部閉じていない多角形の場合、最も近い端部を結んで形成される閉じた領域の面積重心）、を有する形状の第１リブ５０が絞り加工により形成されている。本実施形態において、トップカバー１４は、領域Ｂ１あるいは領域Ｂ２内にある中心Ｃ１に対して同芯状に形成された径の異なる複数の円、もしくは円弧状の第１リブ５０を有している。最も内側の第１リブ５０は、閉曲線として円形に形成され、外側の２つの第１リブ５０は、それぞれ円弧状に形成されている。複数の第１リブ５０は、等しい幅に形成されている。これら複数の第１リブ５０は、互いに異なる幅に形成されていてもよい。
【００３１】
第１リブ５０の形状は、閉曲線としての円形、あるいは、開曲線としての円弧状に限らず、楕円、その他の湾曲形状、一部に楕円あるいは湾曲形状を有する開曲線形状としてもよい。また、第１リブ５０は、一部に線分あるいは屈曲点が存在する閉曲線形状あるいは開曲線形状としてもよい。さらに、第１リブ５０は、多角形（一部閉じていない場合も含む）形状としてもよい。
【００３２】
図１および図２に示すように、トップカバー１４は、１次モード振動振幅の最も大きな領域近傍である、スピンドルモータ１８の回転中心Ｃ２を中心に、トップカバーの１次振動振幅を低減する第２リブ５２を有している。本実施形態において、第２リブ５２は、スピンドルモータ１８の回転中心Ｃ２を中心とする円弧状に絞り加工されている。トップカバー１４は、スピンドルモータ１８の回転中心Ｃ２を中心として同芯状に絞り加工され径の異なる円弧状の複数の第２リブ５２を有している。
【００３３】
最内周側に位置する第２リブ５２は、円形に形成され、第１リブ５０から分離している。外側の２つの第２リブ５２は、それぞれ円弧状に形成され、更に、第１リブ５０に連続している。複数の第２リブ５２は、等しい幅に形成されている。これら複数の第２リブ５２は、互いに異なる幅に形成されていてもよい。また、第２リブ５２の形状は、第１リブの形状と同様、円弧状に限らず、多角形状等の他の形状としてもよい。更に、円弧状とは、真円に限らず、楕円あるいは湾曲形状を含むものとしている。
【００３４】
上記のように構成されたトップカバー１４を有するＨＤＤによれば、トップカバー１４に、２次モードの振動振幅が大きくなる領域に中心を有する形状のリブを設けることにより、トップカバー１４の２次モードの振動を抑制し、トップカバーの振動に起因する騒音を低減することができる。更に、トップカバー１４に第２リブを設けることにより、上記２次モードの振動に加えて、１次モードの振動を抑制することができ、トップカバーの振動に起因する騒音を一層低減することが可能となる。
【００３５】
図４は、第１リブを備えていない比較例に係るトップカバーを示している。図５は、本実施形態に係るＨＤＤにおけるトップカバー１４、および比較例に係るトップカバーについて、中心Ｃ１における周波数に対する振動振幅の変化を比較して示している。図５に示すように、本実施形態に係るＨＤＤのトップカバーでは、比較例に比較して、１６００Ｈｚ付近の２次モードの振動振幅が大幅に低減していることが分かる。このような、振動の低減により、騒音低減効果が得られることが分かる。
【００３６】
次に、この発明の他の実施形態に係るＨＤＤのトップカバーについて説明する。  
図６は、第２の実施形態に係るＨＤＤのトップカバー１４を示している。第２の実施形態によれば、トップカバー１４は、絞り加工により形成された複数の第１リブ５０および第２リブ５２を有している。第２リブ５２は、１つ設けられ、スピンドルモータの回転中心Ｃ２と同芯の円弧状、あるいは、Ｃ字形状に形成されている。また、第２リブ５２は、第１リブ５０よりも広い幅に形成されている。第２リブ５２は、トップカバー１４の上面側に凸となるように、あるいは、トップカバー１４の下面側、つまり、磁気ディスク側に凸となるように、形成されている。
【００３７】
第２の実施形態において、ＨＤＤの他の構成は、前述した第１の実施形態と同一であり、同一の部分には同一の参照符号を付してその詳細な説明を省略する。  
第２の実施形態によれば、前述した第１の実施形態と同様の作用効果を得ることができる。また、第１リブ５０が第２リブ５２と干渉することがなく、第１および第２リブを容易に形成することができる。  
なお、第１リブ５０による騒音低減効果が十分に得られる場合、第２リブ５２を省略することも可能である。この場合、トップカバーの製造コスト削減を図ることが可能となる。
【００３８】
図７に示す第３の実施形態に係るＨＤＤのトップカバーによれば、スピンドルモータの回転中心Ｃ２と同芯円状の径の異なる複数の第２リブ５２が、スピンドルモータの中心部と対向する位置に形成されている。このような構成によれば、前述した第１の実施形態と同様の作用効果が得られるとともに、トップカバー１４の押し下げ耐力向上の効果が得られる。また、スピンドルモータの中心部は、トップカバー１４の１次振動モードの腹であることから、第２リブによる更なる騒音低減効果が得られる。
【００３９】
第３の実施形態において、ＨＤＤの他の構成は、前述した第１の実施形態と同一であり、同一の部分には同一の参照符号を付してその詳細な説明を省略する。  
図８は、第４の実施形態に係るＨＤＤのトップカバー１４を示している。第４の実施形態によれば、トップカバー１４は、絞り加工により形成された１つの円弧状の第１リブ５０および１つの円弧状の第２リブ５２を有している。第１リブ５０は、前述した領域Ｂ１あるいはＢ２に中心Ｃ１を有する円弧状あるいはＣ字形状に形成されている。
【００４０】
第２リブ５２は、１つ設けられ、スピンドルモータの回転中心Ｃ２と同芯の円弧状、あるいは、Ｃ字形状に形成されている。また、第２リブ５２は、第１リブ５０よりも広い幅に形成されている。第２リブ５２は、トップカバー１４の上面側に凸となるように、あるいは、トップカバー１４の下面側、つまり、磁気ディスク側に凸となるように、形成されている。
【００４１】
第４の実施形態において、ＨＤＤの他の構成は、前述した第１の実施形態と同一であり、同一の部分には同一の参照符号を付してその詳細な説明を省略する。  
第４の実施形態によれば、前述した第１の実施形態と同様の作用効果を得ることができる。また、第１リブ５０が第２リブ５２と干渉することがなく、第１および第２リブを容易に形成することができる。なお、第１リブ５０による騒音低減効果が十分に得られる場合、第２リブ５２を省略することも可能である。
【００４２】
第１リブ５０の形状は、閉曲線形状あるいは開曲線形状、円弧状に限らず、多角形状あるいは多角形の一部が途切れた形状等の他の形状としてもよい。図９に示す第５の実施形態に係るＨＤＤによれば、トップカバー１４は、絞り加工により形成された複数の第１リブ５０および円弧状の第２リブ５２を有している。複数の第１リブ５０は、前述した領域Ｂ１あるいはＢ２に同芯の中心Ｃ１、あるいは、面積重心、を有し複数の三角形状に形成されている。外側の第１リブ５０は、完全な三角形ではなく、１つの頂点部が開放した形状に形成されている。  
第２リブ５２は、１つ設けられ、スピンドルモータの回転中心Ｃ２と同芯の円弧状、あるいは、Ｃ字形状に形成されている。
【００４３】
第５の実施形態において、ＨＤＤの他の構成は、前述した第１の実施形態と同一であり、同一の部分には同一の参照符号を付してその詳細な説明を省略する。第５の実施形態においても、前述した第１の実施形態と同様の作用効果を得ることができる。
【００４４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４５】
例えば、トップカバーに形成される第１リブ、第２リブの形状および数は、前述した実施形態に限定されることなく、必要に応じて変更可能である。この発明は、２．５インチのＨＤＤに限らず、３．５インチ、あるは、１．８インチのＨＤＤ等にも適用することができる。また、磁気ディスクは、２枚に限らず、１枚あるいは３枚以上のディスク装置に適用することができる。トップカバーおよびその他の構成要素の材質は、実施形態に限定されることなく、適宜変更可能である。
【符号の説明】
【００４６】
１０…筐体、１２…ベース、１４…トップカバー、１６…磁気ディスク、
１７…磁気ヘッド、１８…スピンドルモータ、２０…ヘッドアクチュエータ、
２２…アーム、２３…枢軸、２８…軸受組立体、４０…第１透孔、４２…第２透孔、
５０…第１リブ、５２…第２リブ、Ｃ１…第１中心、Ｃ２…第２中心
【図１】
2011018391.tif 000003
【図２】
2011018391.tif 000004
【図３】
2011018391.tif 000005
【図４】
2011018391.tif 000006
【図５】
2011018391.tif 000007
【図６】
2011018391.tif 000008
【図７】
2011018391.tif 000009
【図８】
2011018391.tif 000010
【図９】
2011018391.tif 000011
【手続補正書】
【提出日】平成22年8月6日(2010.8.6)
【手続補正１】
【補正対象書類名】明細書
【補正対象項目名】０００９
【補正方法】変更
【補正の内容】
【０００９】
この発明の態様に係る磁気ヘッド装置は、筐体と、前記筐体内のディスク状の記録媒体を駆動する駆動部と、ヘッドを支持するヘッドアクチュエータと、を備え、前記筐体の壁部は、第１中心を有する第１円弧状の第１リブと、第２中心を有する第２円弧状の第２リブと、を具備している。
【手続補正２】
【補正対象書類名】明細書
【補正対象項目名】００１０
【補正方法】変更
【補正の内容】
【００１０】
この発明の他の態様に係るディスク装置は、上面開口を有するベース、および前記ベースにねじ止めされ前記上面開口を閉じる矩形板状のトップカバーを有する筐体と、前記筐体内のディスク状の記録媒体を駆動する駆動モータと、上記磁気ディスクに対して情報の書込み、および読出しを行うヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔と、前記駆動モータの回転中心上を通り筐体の長手方向に延びる第１軸と、前記駆動モータの回転中心上を通り前記第１軸と直交する第２軸と、前記駆動モータの回転中心と、前記第２透孔の中心と、前記複数の第１透孔の内、前記第１軸に対して前記第２透孔と反対側に位置する長辺縁の中央部に位置する第１透孔と、を頂点とする三角形の領域内に第１中心を有する形状の少なくとも１つの第１リブと、第２中心を有する円弧状の第２リブと、を備えている。
【手続補正３】
【補正対象書類名】特許請求の範囲
【補正対象項目名】全文
【補正方法】変更
【補正の内容】
【特許請求の範囲】
【請求項１】
筐体と、前記筐体内のディスク状の記録媒体を駆動する駆動部と、ヘッドを支持するヘッドアクチュエータと、を備え、
前記筐体の壁部は、第１中心を有する第１円弧状の第１リブと、第２中心を有する第２円弧状の第２リブと、を具備しているディスク装置。
【請求項２】
前記筐体は、上部開口を有するベースと、前記ベースの上部開口を閉じる板状のトップカバーと、を備え、
前記第１リブおよび第２リブは、前記トップカバーに形成され、前記駆動部およびヘッドアクチュエータは前記ベース上に設けられている請求項１に記載のディスク装置。
【請求項３】
前記第１リブおよび第２リブは、前記トップカバーの絞り加工により形成されている請求項２に記載のディスク装置。
【請求項４】
前記トップカバーは、前記第１中心を同芯とし径の異なる複数の円弧状の第１リブを有する請求項２に記載のディスク装置。
【請求項５】
前記第１リブの円弧状は、円形を含んでいる請求項４に記載のディスク装置。
【請求項６】
前記トップカバーは、前記第２中心を同芯とし径の異なる複数の円弧状の第２リブを有する請求項２ないし５のいずれか１項に記載のディスク装置。
【請求項７】
前記第２リブの円弧状は、円形を含んでいる請求項６に記載のディスク装置。
【請求項８】
前記第１リブの第１中心は、前記トップカバーの２次モードの振動が発生する第１領域であって、この第１領域の外側の領域に発生する２次モードの振動よりも大きな前記トップカバーの２次モードの振動が発生する第１領域に位置し、前記第２リブは、前記トップカバーの１次モードの振動が発生する第２領域であって、この第２領域の外側の領域で発生する前記トップカバーの１次モードの振動よりも大きな１次モードの振動が発生する第２領域に設けられている請求項１ないし７のいずれか１項に記載のディスク装置。
【請求項９】
前記第１リブは、前記第２リブと連続している請求項２に記載のディスク装置。
【請求項１０】
上面開口を有するベース、および前記ベースにねじ止めされ前記上面開口を閉じる矩形板状のトップカバーを有する筐体と、
前記筐体内のディスク状の記録媒体を駆動する駆動モータと、
上記磁気ディスクに対して情報の書込み、および読出しを行うヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔と、
前記駆動モータの回転中心上を通り筐体の長手方向に延びる第１軸と、前記駆動モータの回転中心上を通り前記第１軸と直交する第２軸と、
前記駆動モータの回転中心と、前記第２透孔の中心と、前記複数の第１透孔の内、前記第１軸に対して前記第２透孔と反対側に位置する長辺縁の中央部に位置する第１透孔と、を頂点とする三角形の領域内に第１中心を有する形状の少なくとも１つの第１リブと、
第２中心を有する円弧状の第２リブと、
を備えるディスク装置。
【請求項１１】
上面開口を有するベース、および前記ベースにねじ止めされ前記上面開口を閉じる矩形板状のトップカバーを有する筐体と、
前記筐体内のディスク状の記録媒体を駆動する駆動モータと、
上記磁気ディスクに対して情報を書込み、および読出しを行うヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔と、
前記駆動モータの回転中心上を通り筐体の長手方向に延びる第１軸、前記駆動モータの回転中心上を通り前記第１軸と直交する第２軸と、
前記駆動モータの回転中心と、前記第２透孔の中心と、前記第１軸に対して前記第２透孔と反対側に位置する長辺の長手方向中央部と、を頂点とする三角形の領域内に第１中心を有する形状の第１リブと、
第２中心を有する円弧状の第２リブと、
を備えるディスク装置。
【請求項１２】
前記第１リブは、前記三角形の領域内に中心を有する円弧形状である請求項１０又は１１に記載のディスク装置。
【請求項１３】
前記トップカバーは、それぞれ前記三角形の領域内に第１中心を有する同芯形状の径の異なる複数の第１リブを有する請求項１０又は１１に記載のディスク装置。
【請求項１４】
前記第２リブは、前記記録媒体の回転中心を第２中心とする円弧形状である請求項１０又は１１に記載のディスク装置。
【手続補正書】
【提出日】平成22年11月15日(2010.11.15)
【手続補正１】
【補正対象書類名】明細書
【補正対象項目名】０００９
【補正方法】変更
【補正の内容】
【０００９】
この発明の態様に係る磁気ヘッド装置は、上面開口を有するベース、および前記ベースにねじ止めされ前記上面開口を閉じる矩形板状のトップカバーを有する筐体と、前記筐体内のディスク状の記録媒体を駆動する駆動モータと、上記磁気ディスクに対して情報の書込み、および読出しを行うヘッドを、前記ベースおよびトップカバーに固定される枢軸の周りで回動自在に支持するヘッドアクチュエータと、を備え、 
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔と、前記駆動モータの回転中心上を通り筐体の長手方向に延びる第１軸と、前記駆動モータの回転中心上を通り前記第１軸と直交する第２軸と、前記駆動モータの回転中心と、前記第２透孔の中心と、前記複数の第１透孔の内、前記第１軸に対して前記第２透孔と反対側に位置する長辺縁の中央部に位置する第１透孔と、を頂点とする三角形の領域内に第１中心を有する形状の少なくとも１つの第１リブと、を具備している。
【手続補正２】
【補正対象書類名】明細書
【補正対象項目名】００１０
【補正方法】変更
【補正の内容】
【００１０】
この発明の他の態様に係るディスク装置は、上面開口を有するベース、および前記ベースにねじ止めされ前記上面開口を閉じる矩形板状のトップカバーを有する筐体と、前記筐体内のディスク状の記録媒体を駆動する駆動モータと、上記磁気ディスクに対して情報を書込み、および読出しを行うヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔と、前記駆動モータの回転中心上を通り筐体の長手方向に延びる第１軸、前記駆動モータの回転中心上を通り前記第１軸と直交する第２軸と、前記駆動モータの回転中心と、前記第２透孔の中心と、前記第１軸に対して前記第２透孔と反対側に位置する長辺の長手方向中央部と、を頂点とする三角形の領域内に第１中心を有する形状の第１リブと、を備えている。
【手続補正３】
【補正対象書類名】特許請求の範囲
【補正対象項目名】全文
【補正方法】変更
【補正の内容】
【特許請求の範囲】
【請求項１】
上面開口を有するベース、および前記ベースにねじ止めされ前記上面開口を閉じる矩形板状のトップカバーを有する筐体と、
前記筐体内のディスク状の記録媒体を駆動する駆動モータと、
上記磁気ディスクに対して情報の書込み、および読出しを行うヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔と、
前記駆動モータの回転中心上を通り筐体の長手方向に延びる第１軸と、前記駆動モータの回転中心上を通り前記第１軸と直交する第２軸と、
前記駆動モータの回転中心と、前記第２透孔の中心と、前記複数の第１透孔の内、前記第１軸に対して前記第２透孔と反対側に位置する長辺縁の中央部に位置する第１透孔と、を頂点とする三角形の領域内に第１中心を有する形状の少なくとも１つの第１リブと、
を備えるディスク装置。
【請求項２】
上面開口を有するベース、および前記ベースにねじ止めされ前記上面開口を閉じる矩形板状のトップカバーを有する筐体と、
前記筐体内のディスク状の記録媒体を駆動する駆動モータと、
上記磁気ディスクに対して情報を書込み、および読出しを行うヘッドを、前記ベースおよびトップカバーに固定される枢軸の周りで回動自在に支持するヘッドアクチュエータと、を備え、
前記トップカバーは、４つの角部、各長辺側の側縁中央部に設けられ前記トップカバーとベースとを締結するねじがそれぞれ挿通される複数の第１透孔と、前記枢軸に対向して設けられ前記トップカバーを前記枢軸に締結するねじが挿通される第２透孔と、
前記駆動モータの回転中心上を通り筐体の長手方向に延びる第１軸、前記駆動モータの回転中心上を通り前記第１軸と直交する第２軸と、
前記駆動モータの回転中心と、前記第２透孔の中心と、前記第１軸に対して前記第２透孔と反対側に位置する長辺の長手方向中央部と、を頂点とする三角形の領域内に第１中心を有する形状の第１リブと、
を備えるディスク装置。
【請求項３】
前記第１リブは、前記三角形の領域内に中心を有する円弧形状である請求項１又は２に記載のディスク装置。
【請求項４】
前記トップカバーは、それぞれ前記三角形の領域内に第１中心を有する同芯形状の径の異なる複数の第１リブを有する請求項１又は２に記載のディスク装置。
【請求項５】
前記第１リブの第１中心は、前記トップカバーの２次モードの振動が発生する第１領域であって、この第１領域の外側の領域に発生する２次モードの振動よりも大きな前記トップカバーの２次モードの振動が発生する第１領域に位置する請求項１ないし４のいずれか１項に記載のディスク装置。
【請求項６】
前記トップカバーは、前記第１中心とは異なる第２中心を有する円弧状の第２リブを更に備えている請求項１ないし５のいずれか１項に記載のディスク装置。
【請求項７】
前記第２リブは、前記記録媒体の回転中心を第２中心とする円弧形状である請求項６に記載のディスク装置。
【請求項８】
前記第２リブは、前記トップカバーの１次モードの振動が発生する第２領域であって、この第２領域の外側の領域で発生する前記トップカバーの１次モードの振動よりも大きな１次モードの振動が発生する第２領域に設けられている請求項６又は７に記載のディスク装置。